(57)【要約】    【課題】  自分の好みにあったテンポで調光できる音声信号同調調光装置を提供すること。    【解決手段】  本発明では、音声入力手段と照明手段と前記音声入力手段から入力された音声信号を前記照明手段へ出力する調光信号に変換する信号変換手段とを有する音声信号同調調光装置において、前記信号変換手段は、前記音声信号の信号レベルを所定のサンプリング間隔で順次サンプリングするとともに、前回サンプリングした音声信号の信号レベルと今回サンプリングした音声信号の信号レベルとの差を差分レベルとして算出し、この差分レベルに応じて前記調光信号の信号レベルを所定の調光間隔で変化させ、しかも、前記サンプリング間隔を変更できるように構成することにした。【選択図】      図１
2005317417.tif 000002
【特許請求の範囲】
【請求項１】
音声入力手段と照明手段と前記音声入力手段から入力された音声信号を前記照明手段へ出力する調光信号に変換する信号変換手段とを有する音声信号同調調光装置において、
前記信号変換手段は、前記音声信号の信号レベルを所定のサンプリング間隔で順次サンプリングするとともに、前回サンプリングした音声信号の信号レベルと今回サンプリングした音声信号の信号レベルとの差を差分レベルとして算出し、この差分レベルに応じて前記調光信号の信号レベルを所定の調光間隔で変化させ、しかも、前記サンプリング間隔を変更できるように構成したことを特徴とする音声信号同調調光装置。
【請求項２】
前記信号変換手段は、前記調光間隔を変更できるように構成したことを特徴とする請求項１に記載の音声信号同調調光装置。
【請求項３】
前記信号変換手段は、前記音声信号を複数の周波数帯域毎に前記調光信号に変換するように構成したことを特徴とする請求項１又は請求項２に記載の音声信号同調調光装置。
【発明の詳細な説明】
【技術分野】
【０００１】
本発明は、音声信号同調調光装置に関するものである。
【背景技術】
【０００２】
従来より、音声による聴覚刺激だけでなく、それに照明による視覚刺激を加えることによって、臨場感を増大させるための装置として、音声信号に基づいて調光信号を生成する音声信号同調調光装置が使用されている。
【０００３】
この音声信号同調調光装置は、音声入力手段と照明手段と音声入力手段から入力された音声信号を照明手段へ出力する調光信号に変換する信号変換手段とで構成していた。
【０００４】
そして、信号変換手段では、音声入力手段から入力された音声信号の信号レベルを常に一定のサンプリング間隔で順次サンプリングし、サンプリング間隔と同一の間隔で調光信号に変換するようにしていた（たとえば、特許文献１参照。）。
【特許文献１】実開昭５２−１０８８８６号公報
【発明の開示】
【発明が解決しようとする課題】
【０００５】
ところが、従来の音声信号同調調光装置では、常に一定のサンプリング間隔で音声信号を調光信号に変換していたために、音声信号の信号レベルの増減と調光信号の信号レベルの増減とが一致している反面、音声のテンポと調光のテンポとが一致していなかった。
【０００６】
すなわち、従来の音声信号同調調光装置では、テンポが緩やかな音声であっても、信号レベルが激しく変動する場合には、それに伴って光の強弱も激しく変動してしまい、一方、テンポが速い音声であっても、信号レベルの変動が少ない場合には、それに伴って光の強弱が少なくなっていた。
【０００７】
このように、従来の音声信号同調調光装置では、音声のテンポと調光のテンポとが一致していなかったために、使用者に不快感を与えてしまうおそれがあった。
【課題を解決するための手段】
【０００８】
そこで、請求項１に係る本発明では、音声入力手段と照明手段と前記音声入力手段から入力された音声信号を前記照明手段へ出力する調光信号に変換する信号変換手段とを有する音声信号同調調光装置において、前記信号変換手段は、前記音声信号の信号レベルを所定のサンプリング間隔で順次サンプリングするとともに、前回サンプリングした音声信号の信号レベルと今回サンプリングした音声信号の信号レベルとの差を差分レベルとして算出し、この差分レベルに応じて前記調光信号の信号レベルを所定の調光間隔で変化させ、しかも、前記サンプリング間隔を変更できるように構成することにした。
【０００９】
また、請求項２に係る本発明では、前記請求項１に係る本発明において、前記信号変換手段は、前記調光間隔を変更できるように構成することにした。
【００１０】
また、請求項３に係る本発明では、前記請求項１又は請求項２に係る本発明において、前記信号変換手段は、前記音声信号を複数の周波数帯域毎に前記調光信号に変換するように構成することにした。
【発明の効果】
【００１１】
そして、本発明では、以下に記載する効果を奏する。
【００１２】
すなわち、請求項１に係る本発明では、音声入力手段と照明手段と前記音声入力手段から入力された音声信号を前記照明手段へ出力する調光信号に変換する信号変換手段とを有する音声信号同調調光装置において、前記信号変換手段は、前記音声信号の信号レベルを所定のサンプリング間隔で順次サンプリングするとともに、前回サンプリングした音声信号の信号レベルと今回サンプリングした音声信号の信号レベルとの差を差分レベルとして算出し、この差分レベルに応じて前記調光信号の信号レベルを所定の調光間隔で変化させ、しかも、前記サンプリング間隔を変更できるように構成しているために、使用者がサンプリング間隔を変更することによって自分の好みや感性に合った調光を行うことができ、使用者に爽快感を与えることができる。
【００１３】
また、請求項２に係る本発明では、調光間隔を変更できるようにしているために、これによっても、自分の好みや感性に合った調光を行うことができ、使用者に爽快感を与えることができる。
【００１４】
また、請求項３に係る本発明では、音声信号を複数の周波数帯域毎に調光信号に変換するようにしているために、音声信号の周波数帯域毎に照明手段の調光を行わせることができ、これによっても、自分の好みや感性に合った調光を行うことができ、使用者に爽快感を与えることができる。
【発明を実施するための最良の形態】
【００１５】
本発明に係る音声信号同調調光装置は、音声入力手段と照明手段と音声入力手段から入力された音声信号を照明手段へ出力する調光信号に変換する信号変換手段とで構成したものである。
【００１６】
そして、信号変換手段では、音声信号を複数の周波数帯域に分割し、各帯域の音声信号の信号レベルを所定のサンプリング間隔で順次サンプリングし、その後、前回サンプリングした音声信号の信号レベルと今回サンプリングした音声信号の信号レベルとの差を差分レベルとして算出し、この差分レベルに応じて前記調光信号の信号レベルを所定の調光間隔で変化させるようにしたものである。
【００１７】
特に、本発明では、使用者の好みに応じてサンプリング間隔や調光間隔を変更できるようにしたものである。
【００１８】
このように、サンプリング間隔や調光間隔を変更できるようにすることによって、使用者がサンプリング間隔や調光間隔を自分の好みに合わせて自由に変更することができ、自分の好みや感性に合った調光を行うことができ、使用者に爽快感を与えることができる。
【００１９】
なお、本発明では、調光間隔を予め設定した固定間隔としてもよく、また、音声信号を複数の周波数帯域に分割することなく調光信号に変換してもよい。
【００２０】
以下に、本発明に係る音声信号同調調光装置の具体的な構成について図面を参酌しながら説明する。
【００２１】
音声信号同調調光装置１は、図１に示すように、音声入力手段２と信号変換手段３と照明手段４とで構成している。
【００２２】
音声入力手段２は、マイクや接続端子などのように外部から音声信号を入力し、４種類のバンドパスフィルターによって音声信号を４種類の周波数帯域に分割し、各帯域の音声信号を信号変換手段３へ出力するように構成している。
【００２３】
また、照明手段４は、信号変換手段３から入力した調光信号に基づいてＬＥＤやランプなどの複数色の照明の調光を行うように構成している。
【００２４】
この照明手段４では、音声信号の帯域毎に異なる色の照明の調光を行うようにしている。
【００２５】
さらに、信号変換手段３は、音声入力手段２から入力された音声信号を照明手段４へ出力する調光信号に変換するように構成している。
【００２６】
この信号変換手段３は、図１に示すように、Ａ／Ｄ変換手段５と波形整形手段６と差分レベル算出手段７と調光信号生成手段８とを有し、Ａ／Ｄ変換手段５にはサンプリング間隔変更手段９が接続され、また、波形整形手段６には調光間隔変更手段10が接続されている。
【００２７】
この信号変換手段３の各部の構成について以下に説明する。
【００２８】
Ａ／Ｄ変換手段５は、音声入力手段２から入力された各帯域毎の音声信号（アナログ信号）をサンプリング間隔変更手段９で設定されたサンプリング間隔でデジタル信号に変換して波形整形手段６へ出力するように構成している。
【００２９】
サンプリング間隔変更手段９は、ボリュームを調整することによってサンプリング間隔を３〜2048msの間で任意に変更することができ、設定したサンプリング間隔を示すサンプリング信号をＡ／Ｄ変換手段５へ出力するように構成している。
【００３０】
波形整形手段６は、Ａ／Ｄ変換手段５から入力された各帯域毎のデジタル信号を各帯域毎に予め設定した整数倍して差分レベル算出手段７へ出力するとともに、サンプリング間隔変更手段９から入力されたサンプリング信号と調光間隔変更手段10から入力された調光間隔信号と各信号毎に予め設定した整数倍して調光信号生成手段８へ出力するように構成している。
【００３１】
この波形整形手段６では、ボリュームを調整することによって各信号毎に任意の倍数に設定できるようにしている。これにより、使用者の好みに応じて各色の照明の調光を自由に設定することができる。
【００３２】
調光間隔変更手段10は、ボリュームを調整することによって調光間隔を１〜６msの間で任意に変更することができ、設定した調光間隔を示す調光間隔信号を波形整形手段６へ出力するように構成している。
【００３３】
差分レベル算出手段７は、波形整形手段６から順次入力される音声信号（デジタル信号）のレベルを記憶しておき、Ａ／Ｄ変換手段５で前回サンプリングされた音声信号の信号レベルと今回サンプリングされた音声信号の信号レベルとの差を差分レベルとして算出して、その差分レベルを調光信号生成手段８へ出力するように構成している。
【００３４】
調光信号生成手段８は、波形整形手段６から入力されたサンプリング間隔と調光間隔とに基づき、サンプリング間隔を調光間隔で除算することによって調光回数を算出するとともに、差分レベル算出手段７から入力された差分レベルを調光回数で除算することによって調光輝度を算出し、この調光輝度に基づいて調光信号を生成して、この調光信号を調光間隔で照明手段４へ出力するように構成している。
【００３５】
たとえば、前回サンプリングした音声信号の信号レベルと今回サンプリングした音声信号の信号レベルとの差（差分レベル）が600mVであったとし、サンプリング間隔が300msに設定され、調光間隔が3msに設定されている場合には、サンプリング間隔と調光間隔との比から調光回数が100回（300ms／3ms）と算出され、調光輝度が６mV（600mV／100）と算出され、この調光輝度に基づいて300msの間に100段階輝度が変化する調光信号を生成する。
【００３６】
これに対して、サンプリング間隔を600msに設定した場合には、調光回数が200回（600ms／3ms）と算出され、調光輝度が3mV（600mV／200）と算出され、この調光輝度に基づいて600msの間に200段階輝度が変化する調光信号を生成する。
【００３７】
すなわち、サンプリング間隔を長く設定した場合には、１回の調光で変化する輝度が小さくなり、緩やかに輝度が変化するように調光され、一方、サンプリング間隔を短く設定した場合には、１回の調光で変化する輝度が大きくなり、急激に輝度が変化するように調光される。
【００３８】
したがって、使用者の好みに応じてサンプリング間隔を変更することによって、音声信号のテンポにあった調光を行うことができる。
【図面の簡単な説明】
【００３９】
【図１】本発明に係る音声信号同調調光装置の構成を示すブロック図。
【符号の説明】
【００４０】
１  音声信号同調調光装置
２  音声入力手段
３  信号変換手段
４  照明手段
５  Ａ／Ｄ変換手段
６  波形整形手段
７  差分レベル算出手段
８  調光信号生成手段
９  サンプリング間隔変更手段
10  調光間隔変更手段
【図１】
2005317417.tif 000003